(57)【特許請求の範囲】
【請求項１】
給電オフ位置と給電オン位置との間を変位する電気接点装置と、該電気接点装置と操作上連繋するカム装置とを収納するハウジングを含んでいて、
前記カム装置が、所定の形状のアクチュエータのハウジング内への、該カム装置と係合する所定の方向の挿入により操作されることができ、これにより電気接点装置の状態を変化させるようになっているスイッチ装置において、
前記カム装置が、ハウジングの本体部に移動可能に取り付けられた囲繞体内で支持され、
ハウジング内へのアクチュエータの挿入が、囲繞体内でのカム装置の移動を惹起して電気接点装置の状態を変化させ、
かつ、囲繞体が、ハウジングの本体部に対して相対的に、アクチュエータの挿入方向と交差する方向に、カム装置とともに移動することができ、アクチュエータとカム装置との間の操作上の係合を促進するようになっていることを特徴とするスイッチ装置。
【請求項２】
請求項１に記載のものであって、前記カム装置は所定軸に沿って移動自在であることを特徴とするスイッチ装置
【請求項３】
請求項１又は２に記載のものであって、前記カム装置は所定位置へと付勢されていることを特徴とするスイッチ装置。
【請求項４】
請求項３に記載のものであって、前記カム装置の両側に圧縮バネを配置して、この圧縮バネの付勢力でカム装置を前記所定位置に付勢したことを特徴とするスイッチ装置。
【請求項５】
請求項１から４までのいずれか一項に記載のものであって、前記カム装置はシャフトに摺動自在に装着されていることを特徴とするスイッチ装置。
【請求項６】
請求項１から５までのいずれか一項に記載のものであって、前記囲繞体に少なくとも一つの挿入口を形成し、この挿入口を介してアクチュエータを案内することでカム装置と係合するようにしたことを特徴とするスイッチ装置。
【請求項７】
請求項６に記載のものであって、前記挿入口には、その周面に傾斜案内面が形成されていることを特徴とするスイッチ装置。
【請求項８】
請求項７に記載のものであって、前記案内面としては、挿入口が形成されていて、カム装置を収納すると共に当該カム装置と一体移動する囲繞体に形成した隆起部を以て構成されていることを特徴とするスイッチ装置。
【請求項９】
請求項１から８までのいずれか一項に記載のものであって、前記カム装置は、アクチュエータにより所定軸を中心として回転されて電気接点装置を操作する作動カムからなることを特徴とするスイッチ装置。
【請求項１０】
請求項５に記載のものであって、前記カム装置はアクチュエータにより所定軸を中心として回転されて電気接点装置を操作する作動カムからなり、前記作動カムは前記シャフトに回転自在に装着されていることを特徴とするスイッチ装置。
【請求項１１】
請求項９又は１０に記載のものであって、前記カム装置には、作動カムと係合して、前記アクチュエータが挿入されると当該作動カムの回転を阻止するロック部材が備わっていることを特徴とするスイッチ装置。
【請求項１２】
請求項１から１１までのいずれか一項に記載のものであって、前記カム装置はハウジングの互いに横方向に隔離した壁部の間において当該壁部に対して横方向に移動自在であることを特徴とするスイッチ装置。
【発明の詳細な説明】
技術分野
本発明は、必ずしもこれに限られるものではないが、特に運動機械類（kinetic machinery）を囲繞する機械ガードに用いるのに適したスイッチ装置に関する。
背景技術
従来公知のスイッチ装置は、囲繞体に取り付けるようにしたスイッチと、該スイッチに挿入できるようになっているとともに、囲繞体の扉、ゲートないし保護カバーに取り付けるようにしたアクチュエータとで構成されていて、囲繞体を扉、ゲートないし保護カバーで閉ざすと、アクチュエータがスイッチに挿入されて、囲繞体内の機械がこのスイッチのオンに伴って給電されて起動できるようになっている。
この種のスイッチにはハウジングが備わっていて、このハウジングには、固定接点と可動接点とからなり、接点を離開状態に保持して給電をオフに維持するそれ自身の長手方向に移動自在なバネ付勢型押し棒に担持された常閉接点装置が収納されている。
長手移動自在な押し棒は、常時は該押し棒を給電オフ位置に保持しているが、アクチュエータにより偏芯回転して押し棒を給電オン位置へ移動させるように構成したカム装置の回転カムに対して押勢されている。
この従来公知のスイッチには、囲繞体と扉とが僅かでもずれてしまうと、アクチュエータがスイッチハウジングに係入できなくなって、扉を閉めたときに接点装置を動作せせることができなくなるなどの問題点がある。
発明の開示
従って、本発明は前述の問題点を解消した、或いは、除去したスイッチ装置を提供するのを目的としたものである。
本発明によれば、給電オフ位置と給電オン位置との間を変位する電気接点装置と、該接点装置と連繋する制御機構とを収納するハウジングからなり、接点装置の状態を変えるべく前記制御機構と係合する形状のアクチュエータにより前記接点装置が操作されるようになっているスイッチ装置において、前記制御機構を、前記アクチュエータの挿入方向と直交する方向に前記アクチュエータに対して移動自在となして当該制御機構と前記アクチュエータとの係合を確実にできるようにしたことを特徴とするスイッチ装置が得られる。
従って、アクチュエータと制御機構とが互いにずれたとしても、制御機構は整合するように移動するのである。
制御機構は所定軸に沿って移動自在としてもよく、その場合所定位置へと付勢しておくのが望ましい。
好ましくは、制御機構の両側に圧縮バネを配置して、この圧縮バネの付勢力で制御機構を前記所定位置に付勢しておくのが望ましい。
制御機構はシャフトに摺動自在に装着しても良い。
好ましくは、制御機構に少なくとも一つの挿入口を形成し、この挿入口を介してアクチュエータを案内することで制御機構と係合するようにするのが望ましい。この場合での挿入口には、その周面に傾斜案内面があっても良い。
この案内面としては、挿入口が形成されていて、制御機構を収納すると共に当該制御機構と一体移動するハウジングに形成した隆起部を以て構成するのが望ましい。
制御機構は、アクチュエータにより所定軸を中心として回転されて接点装置を操作する作動カムで構成しても良い。
この作動カムは前記シャフトに回転自在に装着されているのが望ましい。
また、制御機構には、作動カムと係合して、前記アクチュエータが挿入されると当該作動カムの回転を阻止するロック部材が備わっていても良い。
【図面の簡単な説明】
以後、添付図面を参照しながら本発明の具体的な実施の形態を詳述する。
図１は、接点ブロックと制御機構とを明示するために前板を取り外し、囲繞体を部分的に切り外した状態でのスイッチ装置の前面図。
図２は、図１における線II-IIに沿った部分断面図。
図３は、制御装置のための囲繞体の端面図。
発明を実施するための最良の形態
添付図面において、スイッチ装置は、電気接点装置Ｂを収納するスイッチＡと、作動カム装置Ｃと、連結棒装置Ｄと、ソレノイド式ロックＥと、スイッチＡと協働するアクチュエータＦとで構成されている。
これらの構成部品の関係とそれらの作用についてはよく知られているところであり、例えばヨーロッパ特許出願第93913242.9号（同公開公報第0620948号）に開示されているので、本発明に関係のある部分以外についてはここでは詳述しない。
ハウジング１０には、電気接点室１１がその一端側に形成され、他端側にはカム装置Ｃを装着する互いに隔離されて平行な壁部１２が設けられている。
接点室１１は、ハウジング１０の前面で開放してるが、前板（図示せず）によりガスケット（図示せず）が両者に介在した状態で閉鎖されるようになっている。前板とガスケットとは、接点室Ｂへのアクセスを許容するために取外し自在となっている。
カム装置Ｃは回転カム１３と、シャフト１５に装着されたロック部材１４とからなり、前記シャフト１５は、よく知られているように側方に隔離した壁部１２にある受承孔にその両端が差し込まれた形で支持されている。この装置Ｃは、前壁１６ａ、頂壁１６ｂ、底壁１６ｃ、後壁（図３で隠れて見えない）、一対の側壁１６ｄとからなる囲繞体１６（図２、図３）に収納されている。囲繞体１６の前壁１６ａにおける隅部には、アクチュエータ挿入口１７を形成する矩形開口があり、また、その頂壁１６ｂの隅部には類似の挿入口１８（図２）が形成されている。各挿入口１７、１８は、それぞれの挿入口を形成する開口に向かって内側及び後方に傾斜した傾斜面２０を有する隆起外周壁１９に形成されている。シャフト１５は囲繞体１６の両側壁１６ｄから外方に突出して、ハウジング１０の両壁部１２における受承穴にその両端が受承されている。囲繞体１６と各壁部１２との間に隙間２１が形成されているので、囲繞体１６とその内部部品とはシャフト１５上をハウジング１０に対して摺動できるようになっている。前記各隙間２１においてシャフト１５上に圧縮バネ２２をそれぞれ巻装しているから、この圧縮バネ２２の作用により囲繞体は両壁部１２の間の中間位置に付勢維持されている。
囲繞体１６は前部分と後部分との二部品に分割できるようになっている。前部分は前壁１６ａと頂壁１６ｂとを含む部分で、側壁１６ｄと底壁１６ｃとを含む後部分にネジで連結されている。これらのに二部品は図２では組み立てられた状態で図示されているが、図１では前部分が外された状態で図示されている。
接点装置の開閉は、カム装置Ｃと接点装置Ｂとの間に従来より知られているようの連結されている連結棒装置Ｄにより達成されるようになっている。
アクチュエータ挿入口１７、１８は作動カム１３とロック部材１４とに整合している。
スイッチ装置のその他の構成部品、即ち、アクチュエータＦは、例えばステンレススチールで作製されている。このアクチュエータＦは、互いに平行な作動腕を有する板部２３ａが突設されている装着棒２３からなり、作動腕２４には装着棒２３と平行な耳部２５が互いに向かい合って突設されている。この板部２３ａの片側には矩形穴２６が形成されている。
前述したスイッチ装置Ａは、例えば機械ガード（図示せず）に用いられるもので、当該ガードの筐体に装着され、その際、アクチュエータＦが開き戸型、引き戸型、または、リフトオフ式のガードゲートないし扉に装着されるようになっている。
当業者によく知られている、運動機械類とその機械ガードとの間の電気式ロックを構成する電気回路についてはここでは詳述しないが、接点類が閉成されるまで機械の動作が禁止されるように当該電気回路が本発明で用いられている。
そこで作動カム１３とロック部材１４との内部係合によりカム装置Ｃが誤って、或いは、許可なしで回転されるのを阻止している。
ガード扉ないしゲートを閉じると、アクチュエータＦは、スイッチ装置Ａの配置に応じて挿入口１７又は挿入口１８に侵入する。すると、アクチュエータＦの作動腕２４がロック部材１４と作動カム１３とに係合して作動カム１３を回転させる。作動カム１３がこのように回転されると、連結棒装置Ｄの押し棒２５がバネ２６の作用に抗してその長手方向に移動して接点類を閉成し、かくて機械はスイッチ装置ＡにアクチュエータＦが係合している限りそのときの状態から起動する。
アクチュエータＦがスイッチ装置に挿入されるとソレノイド装置におけるフック状部材（図示せず）を変位させるから、ソレノイド装置のプランジャーは僅かだけ後退する。このフック状部材がアクチュエータＦにおける矩形穴２６と整合すると、当該フック状部材は矩形穴２６に係合してプランジャーを全伸張位置へ反転する。
スイッチ装置Ａから外方へのアクチュエータＦの後退は、アクチュエータＦの矩形穴２６へのソレノイド式ロックＥのフック状部材（図示せず）の係合により阻止される。しかし、ソレノイド装置を作動させてプランジャーが後退すると、アクチュエータＦは解放されるから、それによりアクチュエータＦのスイッチ装置Ａから外方への後退ができるようになる。ソレノイド装置は、遠隔スイッチや類似のものにより後退するように励磁されるようになっていても良い。このようなソレノイド式ロック機構については従来公知なのでここでは詳述しない。
アクチュエータＦがスイッチ装置Ａ及び対応する挿入口１７ないし１８から僅かでもずれると、作動腕２４の端部が隆起外周壁１９の側部における傾斜面２０と先ず係合する。アクチュエータＦから外周壁１９に作用する力により囲繞体１６とその内部部品とが、作動腕２４が挿入口１７ないし１８と整合するまでバネ２２の付勢力に抗して横方へとシャフト１５に沿って移動する。このように囲繞体１６階どうすると、アクチュエータＦは挿入口１７ないし１８に侵入できるようになり、かくてスイッチ装置が操作されることになる。従って、カム装置Ｃは、スイッチハウジングＡに対して実質的に「浮動」しているのである。
ハウジングには、奮迅などの侵入を阻止するために囲繞体をカバーする端キャップ１０ａと側方に隔離した壁１２が備わっていても良い。この場合での端キャップ１０ａには、挿入口１７、１８と整合する末広がりの開口を設けてアクチュエータＦの抜き差しができるようにする。
本発明の構成は、添付図面を参照しながら説明したもの以外に、電気スイッチを操作するのに利用することもできるから、作動カムとロック部材とからなる装置そのものも本発明の範囲に含むまれるものと解すべきである。
尚、本発明の範囲から逸脱することなく改変や変形などが考えられ、一例として接点類を操作する制御機構としてはどのようなものであっても良い。
【図１】
0003899127.tif 000002
【図２】
0003899127.tif 000003
【図３】
0003899127.tif 000004